(57)【特許請求の範囲】
【請求項１】
乳幼児を支持するためのシート状の支持本体部と、
前記支持本体部から延び出た肩ベルトと、
前記支持本体部から延び出し、前記肩ベルトに接続可能なフード材と、
前記フード材を閉じた状態に保持するフード保持部材と、を備え、
前記フード材は、前記乳幼児の頭部を覆うフード本体と、前記フード本体から延び出たフード延出部と、を含み、
前記フード延出部は、前記フード材が前記フード保持部材に保持され且つ前記肩ベルトに接続された状態で、前記肩ベルトに沿って延びる、保育補助具。
【請求項２】
前記フード保持部材は、筒状体を成している、又は、筒状体を形成可能である、請求項１に記載の保育補助具。
【請求項３】
前記フード材は、前記フード延出部に接続された接続ベルトを介して前記肩ベルトに接続可能である、請求項１又は２に記載の保育補助具。
【請求項４】
前記フード延出部には、前記接続ベルトの一部を収容するポケットが形成されている、請求項３に記載の保育補助具。
【請求項５】
前記フード材は、広げられた状態で前記乳幼児の頭部を覆うフード形態と、前記フード保持部材によって閉じた状態に保持されて前記乳幼児の後頭部及び／または背部を支持するヘッドレスト形態と、を少なくとも取り得る、請求項１乃至４のいずれか一項に記載の保育補助具。
【請求項６】
前記フード延出部は、前記フード本体と一体に作製されている、請求項１乃至５のいずれか一項に記載の保育補助具。
【発明の詳細な説明】
【技術分野】
【０００１】
本発明は、乳幼児を抱っこ及び／またはおんぶすることを補助する保育補助具に関する。
【背景技術】
【０００２】
例えばＪＰ２０１７―２２１４３６Ａに開示されているように、乳幼児を抱っこすることを補助する保育補助具が知られている。この保育補助具は、ベビーキャリアや子守帯とも呼ばれ、乳幼児を連れ出す際等に広く利用に供されてきた。保育補助具を利用することにより、使用者は、乳幼児を自らの手で支え続ける必要がなくなり、行動の自由度が大幅に広がり、また、楽な姿勢をとることも可能となる。【０００３】
ＪＰ２０１７―２２１４３６Ａに開示されているように、保育補助具は、通常、シート状の支持本体部と、支持本体部に取り付けられたフードあるいはヘッドレストとを含む。フードは、乳幼児の頭部を覆い、当該頭部を支持したり、日差しや風を遮るためのものである。ヘッドレストは、乳幼児の頭部を覆うことなく乳幼児に開放感を与えた状態で、乳幼児の後頭部や背部を支持するためのものである。【０００４】
上述したように、フード及びヘッドレストは、その使用目的が異なる。したがって、保育補助具がフード及びヘッドレストの両方を備えていることが望まれている。しかしながら、フード及びヘッドレストの両方を備えた保育補助具は、大型化し、扱いにくい。保育補助具にフード及びヘッドレストが着脱可能に設けられ、状況に応じてフード及びヘッドレストの一方を保育補助具に取り付けることも考えられるが、保育補助具の取り扱いが煩雑になる。
【発明の開示】
【０００５】
本発明は以上の点を考慮してなされたものであり、保育補助具の大型化及び取り扱いの煩雑化を抑制しつつ、フード機能及びヘッドレスト機能の両方を提供可能な保育補助具を提供することを目的とする。
【０００６】
本実施形態による保育補助具は、
乳幼児を支持するためのシート状の支持本体部と、
前記支持本体部から延び出た肩ベルトと、
前記支持本体部から延び出し、前記肩ベルトに接続可能なフード材と、
前記フード材を閉じた状態に保持するフード保持部材と、を備えている。
【０００７】
本発明によれば、保育補助具の大型化及び取り扱いの煩雑化を抑制しつつ、フード機能及びヘッドレスト機能の両方を提供可能な保育補助具を提供することができる。
【図面の簡単な説明】
【０００８】
【図１Ａ】図１Ａは、本発明による一実施形態による保育補助具の使用形態を示す図である。
【図１Ｂ】図１Ｂは、同実施形態による保育補助具の他の使用形態を示す図である。
【図２】図２は、図１Ａ〜１Ｂに示す保育補助具の支持本体部を広げた状態で、支持本体部の外面の側を示す図である。
【図３】図３は、図１Ａ〜１Ｂに示す保育補助具の支持本体部を広げた状態で、支持本体部の内面の側を示す図である。
【図４】図４は、収納形態のフードを示す図である。
【図５】図５は、フードをヘッドレスト形態にする方法を説明するための図である。
【図６】図６は、フードをヘッドレスト形態にする方法を説明するための図である。
【図７】図７は、フードをヘッドレスト形態にする方法を説明するための図である。
【図８Ａ】図８Ａは、本実施形態の保育補助具の変形例を説明するための図である。
【図８Ｂ】図８Ｂは、図８Ａに対応する図であって、本実施形態の保育補助具の変形例を説明するための図である。
【図９】図９は、図１Ｂに対応する図であって、本実施形態の保育補助具の更に他の変形例を示す図である。
【発明を実施するための形態】
【０００９】
以下、図面を参照して本発明の一実施形態について説明する。図１Ａ〜７は、本発明による保育補助具の一実施形態を説明するための図である。保育補助具１０は、乳幼児ｉの保護者（以下において、「使用者」とも呼ぶ）ｃによって装着され、使用者ｃが乳幼児ｉを保持することを補助する装置である。図１Ａ〜１Ｂは、保育補助具１０が使用者ｃによって装着された状態を示している。図示された例では、保育補助具１０は、使用者ｃが乳幼児ｉを対面状態で抱っこすることを補助する。
【００１０】
本実施形態の保育補助具１０は、以下に説明するように、フード材９０を備えている。フード材９０は、図１Ａに示すように乳幼児ｉの後頭部及び頭頂部を覆うフードとして使用可能である。また、フード材９０は、図１Ｂに示すように乳幼児ｉの頭頂部を覆わずに乳幼児ｉの後頭部あるいは背部を支持するヘッドレストとしても使用可能である。以下、図１Ａ〜７を参照して、保育補助具１０の構成について説明していく。
【００１１】
図２〜３には、図１Ａ〜１Ｂに示す保育補助具１０が広げられた状態で示されている。図２は、保育補助具１０の使用者ｃに対面する側を示しており、図３は、保育補助具の図２に示す側とは反対の側を示している。
【００１２】
＜全体構成＞
図２〜３に示すように、保育補助具１０は、布状材からなる支持本体部２０と、支持本体部２０に接続した取付ベルト３０と、を有する。図１Ａ〜１Ｂから理解されるように、取付ベルト３０は、保育補助具１０を使用者ｃに取り付けるために用いられる。支持本体部２０は、保育補助具１０が使用者ｃに装着された状態で、使用者ｃに対面する位置に配置され、使用者ｃとの間で乳幼児ｉを支持する。
【００１３】
＜支持本体部＞
支持本体部２０は、柔軟性を有するシート状の部材として形成されている。支持本体部２０は、保育補助具１０を使用者ｃに装着した際に、使用者ｃに対面する内面２０ａ（図３に示された面）と、内面２０ａと対向する外面２０ｂ（図２に示された面）と、を有している。図示された例では、支持本体部２０は、主布材２１と、主布材２１の使用者ｃの側を向く面に縫着された一対の副布材２２とを有する。主布材２１は、内面２０ａの横方向ｔｄにおける中央部分と外面２０ｂの全体とをなす。また、副布材２２は、内面２０ａの横方向ｔｄにおける両端部分をなす。支持本体部２０は、さらに、主布材２１と副布材２２との間に配置されたクッション材（例えば綿）を含む。
【００１４】
後述するように、支持本体部２０の内面２０ａには、乳幼児保持ベルト５０が取り付けられている。また、支持本体部２０の外面２０ｂには、フード材９０が取り付けられている。
【００１５】
＜取付ベルト＞
次に、取付ベルト３０について説明する。取付ベルト３０は、支持本体部２０の上縁から延び出した左右一対の肩ベルト３０Ａ，３０Ｂと、支持本体部２０の下縁に接続した腰ベルト４０と、を有している。
【００１６】
＜肩ベルト＞
図１Ａ〜１Ｂに示すように、使用者ｃは、第１肩ベルト３０Ａと支持本体部２０とで囲まれた空間に一方の腕を通し、第２肩ベルト３０Ｂと支持本体部２０とで囲まれた空間に他方の腕を通すことで、保育補助具１０を体に保持する。図２〜３に示すように、肩ベルト３０Ａ，３０Ｂは、それぞれ、肩ベルト本体３１と、肩部調節ベルト３３と、を有している。肩ベルト本体３１は、クッション性を有した部材であり、支持本体部２０と同様の材料を用いて作製され得る。肩部調節ベルト３３は、柔軟性を有しつつも或る程度の強度を有したベルト材である。第１肩ベルト３０Ａの肩ベルト本体３１は、その一端において、支持本体部２０の上縁のうちの横方向ｔｄにおける一方の側である第１の側の端部に接続している。また、第１肩ベルト３０Ａの肩部調節ベルト３３は、その一端において、横方向ｔｄにおける第１の側となる支持本体部２０の側縁に接続している。第２肩ベルト３０Ｂの肩ベルト本体３１は、その一端において、支持本体部２０の上縁のうちの横方向ｔｄにおける他方の側である第２の側の端部に接続している。また、第２肩ベルト３０Ｂの肩部調節ベルト３３は、その一端において、横方向ｔｄにおける第２の側となる支持本体部２０の側縁に接続している。各肩ベルト本体３１の他端近傍に、固定部材３２が取り付けられている。固定部材３２は、対応する肩部調節ベルト３３を保持可能となっている。肩部調節ベルト３３は、その任意の位置にて、固定部材３２によって保持され得る。肩部調節ベルト３３上における固定部材３２の位置を変更することで、肩ベルト３０Ａ，３０Ｂの全長を調整することができる。図示された例では、固定部材３２は、いわゆるラダーであるが、これに限られない。固定部材３２として、種々の部材や要素等を採用可能である。
【００１７】
なお、図３に示すように、図示された保育補助具１０には、一対の肩ベルト３０Ａ，３０Ｂを連結する肩ベルト連結手段３５が、設けられている。肩ベルト連結手段３５は、一方の肩ベルトが他方の肩ベルトから離間することを防止することで、肩ベルト３０Ａ，３０Ｂが使用者ｃの肩からずり落ちてしまうことを抑制する。肩ベルト連結手段３５として、一対の肩ベルト３０Ａ，３０Ｂを連結し得る種々の部材や要素等を用いることができる。
【００１８】
図示された例において、肩ベルト連結手段３５は、その一端において第１肩ベルト３０Ａに接続した第１肩ベルト連結ベルト３６と、その一端において第２肩ベルト３０Ｂに接続した第２肩ベルト連結ベルト３７と、第１肩ベルト連結ベルト３６と第２肩ベルト連結ベルト３７とを連結する肩ベルト連結具３８と、を有している。第１肩ベルト連結ベルト３６及び第２肩ベルト連結ベルト３７は、柔軟性を有しつつも或る程度の強度を有したベルト材である。肩ベルト連結具３８は、第１肩ベルト連結ベルト３６に保持された第１バックル３８ａと、第２肩ベルト連結ベルト３７に保持された第２バックル３８ｂと、を有している。第１バックル３８ａ及び第２バックル３８ｂは、一対でいわゆるバックルを構成し、接続状態または非接続状態に維持される。
【００１９】
なお、第２肩ベルト連結ベルト３７の第２バックル３８ｂを保持する位置は、変更可能となっている。第２肩ベルト連結ベルト３７上における第２バックル３８ｂの位置を変更することで、肩ベルト連結手段３５の全長を調整することができる。
【００２０】
各肩ベルト連結ベルト３６，３７の他端は、次のようにして対応する肩ベルト３０Ａ、３０Ｂに接続されている。すなわち、各肩ベルト連結ベルト３６，３７の他端には平坦な環状部が形成されている。そして、この環状部の内部に、対応する肩ベルト３０Ａ、３０Ｂが挿通されている。連結ベルト３６，３７が肩ベルト３０Ａ，３０Ｂにこのように接続されていることにより、肩ベルト３０Ａ，３０Ｂに対する第１肩ベルト連結ベルト３６および第２肩ベルト連結ベルト３７の上下方向の位置を調節することができるようになっている。図示された例では、環状部は、肩ベルト連結ベルト３６，３７の他端を折り返して、その一部を当該肩ベルト連結ベルト３６，３７自身に縫着することにより形成されている。なお、肩ベルト３０Ａ，３０Ｂと肩ベルト連結ベルト３６，３７との間には摩擦力が働く。この摩擦力によって、保育補助具１０の使用中に肩ベルト連結ベルト３６，３７が肩ベルト３０Ａ，３０Ｂに対して意図せずに上下に移動する、ということが抑制される。
【００２１】
＜腰ベルト＞
次に、腰ベルト４０について説明する。図２〜３に示すように、腰ベルト４０は、支持本体部２０の下縁に接続している。腰ベルト４０は環状に維持され得る。図１Ａ〜１Ｂに示すように、使用者ｃは、自分の腰に腰ベルト４０を巻き付けることで、保育補助具１０を体に保持する。
【００２２】
図示された例では、図２〜３に示すように、腰ベルト４０は、腰ベルト本体４１と、腰部調節ベルト４２と、を有している。腰ベルト本体４１は、支持本体部２０の下縁に、当該下縁の全長に亘って、接続している。また、腰ベルト本体４１は、支持本体部２０の下方となる領域から、横方向ｔｄにおける両側に延び出している。腰ベルト本体４１は、クッション性を有する部材であり、支持本体部２０や肩ベルト本体３１と同様の材料を用いて作製され得る。
【００２３】
腰部調節ベルト４２は、その一端において、腰ベルト本体４１に接続し、腰ベルト本体４１から横方向ｔｄに延び出している。図示された例において、腰部調節ベルト４２は、その一端において腰ベルト本体４１の横方向ｔｄにおける第２の側の端部に縫着され、当該第２の側に延び出している。腰部調節ベルト４２は、柔軟性を有しつつも或る程度の強度を有したベルト材である。
【００２４】
また、図示された腰ベルト４０は、その外形状を環状に保つため、腰部連結具４３をさらに有している。腰部連結具４３は、腰ベルト本体４１の横方向ｔｄにおける第１の側に位置する部分と、腰部調節ベルト４２と、を接続する。腰部連結具４３によって、腰ベルト本体４１と腰部調節ベルト４２とを連結することにより、腰ベルト４０を使用者ｃの腰を周回するように環状にすることができる。腰部連結具４３として、腰ベルト本体４１及び腰部調節ベルト４２を取り外し可能に接続し得る種々の部材や要素等を用いることができる。図示された例において、腰部連結具４３は、いわゆるバックルとして構成されている。この腰部連結具４３は、図２に示すように、腰部調節ベルト４２によって保持された第１バックル４３ａと、腰ベルト本体４１の外面に固定された第２バックル４３ｂとを有している。腰部調節ベルト４２の第１バックル４３ａを保持する位置は変更可能となっている。腰部調節ベルト４２上における第１バックル４３ａの位置を調節することで、腰ベルト４０が環状に維持された際の腰ベルト４０の周長を調節することができる。
【００２５】
＜乳幼児保持ベルト＞
図３に示すように、支持本体部２０の内面２０ａには、乳幼児保持ベルト５０が保持されている。乳幼児保持ベルト５０は、細長状の部材であり、乳幼児ｉの胴体を周回することで、当該乳幼児ｉを支持本体部２０に保持する。乳幼児保持ベルト５０は、支持本体部２０の横方向ｔｄにおける中央に固定されている。乳幼児保持ベルト５０は、支持本体部２０から延び出す第１ベルト部５１及び第２ベルト部５２と、一対のベルト部５１，５２の少なくとも一方に設けられ一対のベルト部５１，５２を連結可能な連結具５３と、を有している。連結具５３によって、第１ベルト部５１及び第２ベルト部５２を連結することにより、乳幼児保持ベルト５０を、乳幼児ｉの胴体を周回するように環状にすることができる。
【００２６】
図示された例において、一対のベルト部５１，５２は、ベルト状布材５６と、ベルト状布材５６と重ねて配置されたベルト材５７と、を用いて形成されている。ベルト状布材５６は、クッション性を有した細長部材である。ベルト材５７は、その一部をベルト状布材５６の横方向ｔｄにおける第１の側の端部の近傍に縫着されて、当該第１の側に延び出している。ベルト材５７は、柔軟性を有しつつも、或る程度の強度を有している。ベルト状布材５６は、乳幼児ｉに対面する側からベルト材５７を少なくとも部分的に覆っている。図３に示すように、ベルト状布材５６は、その両端部の間となる中間部において、支持本体部２０の内面２０ａに縫着されている。そして、ベルト状布材５６の支持本体部２０に固定された部分よりも横方向ｔｄにおける第１の側に位置する部分とベルト材５７とによって、第１ベルト部５１が形成されている。また、ベルト状布材５６の支持本体部２０に固定された部分よりも横方向ｔｄにおける第２の側に位置する部分によって、第２ベルト部５２が形成されている。
【００２７】
また、連結具５３は、第１ベルト部５１及び第２ベルト部５２を取り外し可能に接続し得る種々の部材や要素等から構成され得る。図示された例において、連結具５３は、いわゆるバックルとして構成されている。この連結具５３は、ベルト材５７によって保持された第１バックル５３ａと、第２ベルト部５２によって保持された第２バックル５３ｂと、を有している。第１バックル５３ａと第２バックル５３ｂは、一対でいわゆるバックルを構成し、接続状態または非接続状態に維持される。ベルト材５７の第１バックル５３ａを保持する位置は変更可能となっている。ベルト材５７上における第１バックル５３ａを保持する位置を調節することにより、乳幼児保持ベルト５０が環状に維持された際の乳幼児保持ベルト５０の周長を調節することができる。
【００２８】
また、図３から理解され得るように、横方向ｔｄにおける第２の側に位置する第２ベルト部５２よりも、横方向ｔｄにおける第１の側に位置する第１ベルト部５１が、長くなっている。これにより、連結具５３は、乳幼児ｉの胴体を周回して第１ベルト部５１及び第２ベルト部５２を連結した際に、乳幼児ｉに対して横方向ｔｄにおける一側に位置しやすくなる。つまり、乳幼児ｉの胴体の側面で第１ベルト部５１及び第２ベルト部５２が連結可能となっている。
【００２９】
なお、図示された例では、ベルト状布材５６の支持本体部２０に固定された部分よりも横方向ｔｄにおける第２の側に位置する部分と比較して、ベルト状布材５６の支持本体部２０に固定された部分よりも横方向ｔｄにおける第１の側に位置する部分が、長い。これにより、第２ベルト部５２よりも第１ベルト部５１が長くなっている。しかしながら、これに限られない。すなわち、ベルト状布材５６の上記第１の側に位置する部分の長さとベルト状布材５６の上記第２の側に位置する部分の長さとは、等しくてもよい。この場合、ベルト材５７上における第１バックル５３ａの位置を調節することにより、第２ベルト部５２よりも第１ベルト部５１を長くすることができ、乳幼児ｉの胴体の側面で第１ベルト部５１及び第２ベルト部５２を連結させることができる。
【００３０】
＜フード材＞
フード材９０は、乳幼児ｉの後頭部から頭頂部を覆って、当該頭部をその後方から支持したり、日差しや風を遮るために使用される。図２に示すように、フード材９０は、フード本体９１と、フード本体９１から延び出た一対のフード延出部９２Ａ，９２Ｂと、を含む。図１Ａに示すように、フード本体９１は、フード材９０が乳幼児ｉに装着された状態で乳幼児ｉの頭部を覆う。また、フード延出部９２Ａ，９２Ｂは、肩ベルト３０Ａ，３０Ｂに接続されて、フード本体９１を支持する。図１Ｂに示すように、フード材９０は、後述するフード保持部材９６によって閉じた状態に保持され得る。これにより、フード材９０は、乳幼児ｉの頭頂部を覆わずに乳幼児ｉに開放感を与えた状態で、乳幼児ｉの後頭部や背部をその後方から支持するヘッドレストとしても使用可能である。さらに、図４に示すように、フード材９０は、その全体がフード保持部材９６内に収容された状態に維持され得る。すなわち、フード材９０は、乳幼児ｉの後頭部から頭頂部を覆うフード形態（図１Ａ）と、乳幼児ｉの頭頂部を覆わずに乳幼児ｉの後頭部や背部を支持するヘッドレスト形態（図１Ｂ）と、フード材９０の全体がフード保持部材９６内に収納された収納形態（図４）のいずれかの形態にされ得る。
【００３１】
図２に示すように、フード本体９１は、その下縁において、支持本体部２０の外面２０ｂに接続されている。フード本体９１は、支持本体部２０の上縁近傍に接続されている。フード本体９１は、全体として、下縁から上縁に向かって広がる台形状をなしている。フード本体９１は、柔軟な布状材で形成されている。フード本体９１は、フード材９０がフード形態にて使用される場合に乳幼児ｉの頭部に対面する内面９１ａと、内面９１ａと対向する外面９１ｂとを有する。
【００３２】
一対のフード延出部９２Ａ，９２Ｂは、第１フード延出部９２Ａと第２フード延出部９２Ｂとを有する。第１フード延出部９２Ａは、フード本体９１の上縁近傍において横方向ｔｄにおける第１の側となるフード本体９１の側縁から延び出している。第２フード延出部９２Ｂは、フード本体９１の上縁近傍において横方向ｔｄにおける第２の側となるフード本体９１の側縁から延び出している。フード延出部９２Ａ，９２Ｂは、フード本体９１と同様に柔軟な布状材で形成されている。とりわけ図示された例では、フード延出部９２Ａ，９２Ｂは、フード本体９１と同一の布状材でフード本体９１と一体に作製されている。各フード延出部９２Ａ，９２Ｂには、接続ベルト９３の一端が接続されている。
【００３３】
各接続ベルト９３は、柔軟性を有しつつも或る程度の強度を有したベルト材である。各接続ベルト９３は、フード連結具９４によって対応する肩ベルト３０Ａ，３０Ｂに連結され得る。各接続ベルト９３を対応する肩ベルト３０Ａ，３０Ｂに連結することにより、フード本体９１を使用者ｃの側へ向けて支持することができる。これにより、フード本体９１で覆われた乳幼児ｉの頭部を、使用者ｃの側へ向けて支持することができる。
【００３４】
図３に示すように、フード連結具９４は、接続ベルト９３によって保持された第１バックル９４ａと、肩ベルト３０Ａ，３０Ｂの外面に固定された第２バックル９４ｂとを有している。接続ベルト９３の第１バックル９４ａを保持する位置は変更可能となっている。接続ベルト９３上における第１バックル９４ａの位置を変更することで、フード本体９１と使用者ｃとの距離を調節することができる。
【００３５】
図２に示すように、各フード延出部９２Ａ，９２Ｂの外面には、接続ベルト９３の他端を収容可能なポケット９５が設けられている。ポケット９５は、フード延出部９２Ａ，９２Ｂの接続ベルト９３が接続される端部に向けて開口している。接続ベルト９３の他端をポケット９５に収容することで、接続ベルト９３が乳幼児ｉの頭部や顔に当たることにより生じる刺激が乳幼児ｉに加えられることを防止することができる。
【００３６】
＜フード保持部材＞
フード保持部材９６は、フード本体９１を閉じた状態に保持するものである。フード材９０を閉じた状態に保持して接続ベルト９３を肩ベルト３０Ａ，３０Ｂに連結することにより、フード材９０を、上述したようにヘッドレストとして使用することができる（図１Ｂ参照）。
【００３７】
フード保持部材９６は、フード本体９１と同様に、柔軟な布状材で作製されている。とりわけ図示された例では、フード保持部材９６は、フード本体９１と同一の材料で作製されている。図示された例では、図２に示すように、フード保持部材９６は、支持本体部２０の外面２０ｂにフード本体９１に隣接して設けられている。フード保持部材９６は、横方向ｔｄにおける両側が開放された筒状体をなしている。また、フード保持部材９６は、横方向ｔｄにおける中央に、支持本体部２０とフード材９０との接続部に向けて開口する開口９７を有している。開口９７を通じて、肩ベルト３０Ａ，３０Ｂから取り外されたフード材９０を、フード保持部材９６の内側に収容することができるようになっている（図５参照）。また、フード保持部材９６が両端が開放された筒状体をなしていることにより、フード保持部材９６の内側に収容されたフード材９０のフード延出部９２Ａ，９２Ｂおよび接続ベルト９３を、フード保持部材９６の両側から引き出し（図６参照）、フード延出部９２Ａ，９２Ｂを肩ベルト３０Ａ，３０Ｂに接続することができるようになっている（図７参照）。これにより、フード本体９１を閉じた状態に維持したまま、フード材９０をヘッドレストとして使用することができる。
【００３８】
図示された例では、フード保持部材９６は、全体として矩形の布状材を用いて形成されている。具体的には、矩形の布状材は、第１の辺９６ａと、第１の辺９６ａに対向する第２の辺９６ｂと、第１の辺９６ａの一端と第２の辺９６ｂの一端とを接続する第３の辺９６ｃと、第１の辺９６ａの他端と第２の辺９６ｂの他端とを接続する第４の辺９６ｄと、を有する。そして、第１の辺９６ａの全長と第２の辺９６ｂの両端部を支持本体部２０の上縁に縫着することによって、フード保持部材９６が形成されている。第２の辺９６ｂのうち支持本体部２０に縫着されていない部分と第１の辺９６ａとによって、開口９７が画成される。
【００３９】
なお、図１Ｂ及び図７に示すように、フード延出部９２Ａ，９２Ｂは、フード材９０がフード保持部材９６に保持され且つ肩ベルト３０Ａ，３０Ｂに接続された状態で、肩ベルト３０Ａ，３０Ｂに沿って延びる。これにより、乳幼児ｉの頭部や顔を柔軟な布状材で作製されたフード保持部材９６、フード本体９１及びフード延出部９２Ａ，９２Ｂで囲んで保護することができる。
【００４０】
フード保持部材９６およびフード本体９１には、フード保持部材９６の開口９７を閉鎖するための閉鎖部材９８が設けられている。図示された例では、閉鎖部材９８は、一組の面ファスナー９８ａ，９８ｂを含む。一方の面ファスナー９８ａは、図３に示すように、フード本体９１の内面９１ａに、フード本体９１と支持本体部２０との接続部に隣接して取り付けられている。他方の面ファスナー９８ｂは、図２に示すように、フード保持部材９６の内側に、第２の辺９６ｂに隣接して取り付けられている。フード材９０をフード保持部材９６の内部に収容して面ファスナー９８ａと面ファスナー９８ｂとを接続することにより、フード保持部材９６内におけるフード材９０の形状が安定する。したがって、フード材９０がフードとしてもヘッドレストとしても使用されない場合は、フード材９０をフード保持部材９６の内部に収納し、フード延出部９２Ａ，９２Ｂをフード保持部材９６の両端部から引き出すことなく閉鎖部材９８で開口９７を閉鎖すれば、図４に示すように、フード材９０全体をフード保持部材９６の内部に収納した状態に、安定して維持することができる。すなわち、フード保持部材９６の内部に収納されたフード材９０のフード延出部９２Ａ，９２Ｂが意図せずフード保持部材９６の両端部からはみ出す、ということが抑制される。言い換えると、フード材９０の形態を、上述した収納形態に維持することができる。
【００４１】
＜フード材の使用方法＞
次に、フード材９０の使用方法について説明する。具体的には、フード材９０の形態を、フード形態からヘッドレスト形態に変更する方法、ヘッドレスト形態からフード形態に変更する方法、及び、フード形態から収納形態に変更する方法について説明する。
【００４２】
フード材９０の形態をフード形態からヘッドレスト形態に変更する方法について説明する。まず、図５に示すように、接続ベルト９３を肩ベルト３０Ａ，３０Ｂから取り外し、フード本体９１を折りたたむ。次に、折りたたまれたフード材９１を、フード保持部材９６の開口９７を通じてフード保持部材９６内に収容する。次に、図６に示すように、フード保持部材９６の横方向ｔｄにおける両側から、フード保持部材９６の内側に収容されたフード材９０のフード延出部９２Ａ，９２Ｂおよび接続ベルト９３を引き出す。次に、図７に示すように、第１フード延出部９２Ａ及び第２フード延出部９２Ｂを、それぞれ、第１肩ベルト３０Ａ及び第２肩ベルト３０Ｂに接続する。具体的には、フード延出部９２Ａの接続ベルト９３に保持された第１バックル９４ａと対応する肩ベルト３０Ａ，３０Ｂに取り付けられた第２バックル９４ｂとを接続する。次に、接続ベルト９３上における第１バックル９４ａの位置を調節する。その後、接続ベルト９３の他端をフード延出部９２Ａ，９２Ｂのポケット９５に収納する。
【００４３】
次に、フード材９０の形態をヘッドレスト形態からフード形態に変更する方法について説明する。まず、図６に示すように、接続ベルト９３を肩ベルト３０Ａ，３０Ｂから取り外す。次に、フード保持部材９６の開口９７からフード材９０をフード保持部材９６内から引き出し、図２〜３に示すようにフード材９０を広げる。次に、フード本体９１で乳幼児ｉの後頭部及び頭頂部を覆いながら、第１フード延出部９２Ａ及び第２フード延出部９２Ｂを、それぞれ、第１肩ベルト３０Ａ及び第２肩ベルト３０Ｂに接続する。次に、接続ベルト９３上における第１バックル９４ａの位置を調節する。その後、接続ベルト９３の他端をフード延出部９２Ａ，９２Ｂのポケット９５に収納する。
【００４４】
次に、フード材９０の形態をフード形態から収納形態に変更する方法について説明する。まず、図５に示すように、接続ベルト９３を肩ベルト３０Ａ，３０Ｂから取り外し、フード本体９１を折りたたむ。また、フード延出部９２Ａ，９２Ｂを、それぞれ、横方向ｔｄにおける第２の側および第１の側に折りたたみ、フード本体９１に重ねる。次に、図１に示すように、折りたたまれたフード材９０を、フード保持部材９６の開口９７を通じてフード保持部材９６内に収容する。その後、閉鎖部材９８の一方の面ファスナー９８ａと他方の面ファスナー９８ｂとを結合して、開口９７を閉鎖する。
【００４５】
なお、以上に説明した実施形態では、フード材９０は、使用者ｃが乳幼児ｉを対面状態で抱っこすることを補助する保育補助具１０に対して適用されているが、これに限られない。フード材９０が適用される保育補助具１０は、図８Ａ〜８Ｂに示すように、使用者ｃが乳幼児ｉをおんぶすることを補助するものであってもよい。図８Ａは、フード材９０がフード形態で使用される場合を示しており、図８Ｂは、フード材９０がヘッドレスト形態で使用される場合を示している。
【００４６】
また、以上に説明した実施形態では、フード材９０を折りたたんだ状態に保持するフード保持部材９６は、筒状体をなしているが、これに限られない。例えば、フード保持部材９６は、図２に示す筒状体を形成可能に構成されていてもよい。すなわち、フード保持部材９６を構成する布状材の第２の辺９６ｂが、第１の辺９６ａに着脱可能に接続していてもよい。この場合、フード保持部材９６には開口９７は形成されていなくてもよい。あるいは、フード保持部材９６は、図９に示すように、折りたたまれたフード本体９１を周回する環状体をなしていてもよい。あるいは、フード保持部材９６は、図９に示すような環状体を形成可能であってもよい。これらの場合も、フード保持部材９６には開口９７は形成されていなくてもよい。
【００４７】
以上のように、本実施形態の保育補助具１０は、乳幼児ｉを支持するためのシート状の支持本体部２０と、支持本体部２０から延び出た肩ベルト３０Ａ，３０Ｂと、支持本体部２０から延び出し、肩ベルト３０Ａ，３０Ｂに接続可能なフード材９０と、フード材９０を閉じた状態に保持するフード保持部材９６と、を備えている。
【００４８】
このような保育補助具１０によれば、フード材９０を、フードとしてだけでなく、ヘッドレストとしても使用可能である。したがって、保育補助具１０の大型化及び取り扱いの煩雑化を抑制しつつ、保育補助具１０にフード機能及びヘッドレスト機能を付与することができる。
【００４９】
また、本実施形態において、フード保持部材９６は、筒状体を成している、又は、筒状体を形成可能である。このようなフード保持部材９６によれば、フード材９０を安定して閉じた状態に保持することができる。
【００５０】
また、本実施形態において、フード材９０は、乳幼児ｉの頭部を覆うフード本体９１と、フード本体９１から延び出たフード延出部９２Ａ，９２Ｂと、を含んでいる。そして、フード延出部９２Ａ，９２Ｂは、フード材９０がフード保持部材９６に保持され且つ肩ベルト３０Ａ，３０Ｂに接続された状態で、肩ベルト３０Ａ，３０Ｂに沿って延びる。これにより、乳幼児ｉの頭部や顔をフード保持部材９６、フード本体９１及びフード延出部９２Ａ，９２Ｂで囲んで保護することができる。
【００５１】
また、本実施形態において、フード延出部９２Ａ，９２Ｂに接続された接続ベルト９３を介して肩ベルト３０Ａ，３０Ｂに接続可能である。これにより、フード延出部９２Ａ，９２Ｂ及び接続ベルト９３を構成する材料として、異なる材料を選択可能である。例えば、フード延出部９２Ａ，９２Ｂを構成する材料として、柔軟な布状材を選択して乳幼児ｉの頭部や顔を保護することができる。また、接続ベルト９３を構成する材料として、フード連結具９４を保持するのに適した材料を選択することができる。
【００５２】
また、本実施形態において、フード延出部９２Ａ，９２Ｂには、接続ベルト９３の一部を収容するポケット９５が形成されている。接続ベルト９３の他端をポケット９５に収容することで、接続ベルト９３が乳幼児ｉの頭部や顔に当たることにより生じる刺激が乳幼児ｉに加えられることを防止することができる。
【００５３】
また、本実施形態において、フード材９０は、広げられた状態で乳幼児ｉの頭部を覆うフード形態と、フード保持部材９６によって閉じた状態に保持されて乳幼児ｉの後頭部及び／または背部を支持するヘッドレスト形態と、を少なくとも取り得る。このような保育補助具１０によれば、フード材９０を、フードとしてだけでなく、ヘッドレストとしても使用可能である。したがって、保育補助具１０の大型化及び取り扱いの煩雑化を抑制しつつ、保育補助具１０にフード機能及びヘッドレスト機能を付与することができる。
【００５４】
なお、以上において上述した実施の形態に対するいくつかの変形例を説明してきたが、当然に、複数の変形例を適宜組み合わせて適用することも可能である。
【要約】
保育補助具（１０）は、乳幼児（ｉ）を支持するためのシート状の支持本体部（２０）と、支持本体部（２０）から延び出た肩ベルト（３０Ａ，３０Ｂ）と、支持本体部（２０）から延び出し、肩ベルト（３０Ａ，３０Ｂ）に接続可能なフード材（９０）と、フード材（９０）を閉じた状態に保持するフード保持部材（９６）と、を備える。【図１Ａ】
0006957074.tif 000002
【図１Ｂ】
0006957074.tif 000003
【図２】
0006957074.tif 000004
【図３】
0006957074.tif 000005
【図４】
0006957074.tif 000006
【図５】
0006957074.tif 000007
【図６】
0006957074.tif 000008
【図７】
0006957074.tif 000009
【図８Ａ】
0006957074.tif 000010
【図８Ｂ】
0006957074.tif 000011
【図９】
0006957074.tif 000012